(57)【要約】      （修正有）【課題】フックが逆向きにセットされた場合でも簡単に正常な状態に戻すことができる新規なスプリットリングおよびそれを備えた釣り用ルアーを提供する。【解決手段】ルアーボディ１０のアイ１１にフック２０を着脱自在に取り付けるためのスプリットリング４０であって、金属ワイヤを環状に二重または三重巻きにして楕円形または長円形に加工すると共に、ワイヤの両端を楕円形または長円形の端部に位置させる。リングの切れ目となる入口箇所がリングの側部に位置していないため、水流による抵抗やルアーのアクションなどでフックが逆向きにセットされてもその部分に引っかかることがなくなり、簡単に正常な状態に戻すことができる。【選択図】図２
0003227367.tif 000002
【実用新案登録請求の範囲】
【請求項１】
ルアーボディのアイにフックを着脱自在に取り付けるためのスプリットリングであって、
金属ワイヤを環状に二重または三重巻きにして楕円形または長円形に加工すると共に、そのワイヤの両端が前記楕円形または長円形の端部に位置していることを特徴とするスプリットリング。
【請求項２】
ルアーボディのアイにスプリットリングを介してフックを着脱自在に備えた釣り用ルアーであって、
前記スプリットリングは、金属ワイヤを環状に二重または三重巻きにして楕円形または長円形に加工すると共に、そのワイヤの両端が前記楕円形または長円形の端部に位置していることを特徴とする釣り用ルアー。
【請求項３】
請求項２に記載の釣り用ルアーにおいて、
前記フックは、それぞれ上端に環状の吊下部を備えた第１のフック部材と第２のフック部材とを、拡縮自在な連結体で束ねたツインフックであることを特徴とする釣り用ルアー。
【考案の詳細な説明】
【技術分野】
【０００１】
本考案は、ルアーフィッシングに用いる釣り用ルアーに係り、特にそのルアーボディとフックとを連結するためのスプリットリングおよびこれを備えた釣り用ルアーに関する。
【背景技術】
【０００２】
一般にルアーフィッシングに用いる従来の釣り用ルアーは、図７および図８に示すように小魚などを模した疑似餌となるルアーボディ１０に、１つまたは複数のフック２０、２０をそれぞれスプリットリング３０を介して着脱自在に取り付けた構造となっている。このスプリットリング３０は、例えば以下の特許文献１および２などに示すように一般に金属製のワイヤを約５〜１０ｍｍ程度の径でほぼ真円状に二重巻きにし、その先端同士を近接させてなるものである。
【０００３】
そして、専用の工具などを用いてそのスプリットリング３０の一端を開き、その開いた入口先端のワイヤをルアーボディ１０のアイ１１とフック２０の環状の吊下部２２に差し込んで回すことで両者をチェーン状に連結するようになっている。このようなスプリットリング３０を用いることによってルアーボディ１０やフック２０の交換が容易にできると共に、ルアーボディ１０に対してフック２０が自由に動くことができるため、魚に引っかかりやすくなって釣果の向上に寄与することができる。
【０００４】
また、最近ではこのようなほぼ真円状のスプリットリング３０の他に、図９に示すような楕円形または長円形のスプリットリング３０も登場してきている。この楕円形または長円形のスプリットリング３０は、一方の径をそのままにしてそれと直交する他方の径を拡大したものであり、その形状故の特有のメリットが期待されている。
【０００５】
すなわち、まずその形状を楕円形または長円形にすることにより、図１０に示すような真円形のものよりもフック２０をルアーボディ１０から離すことができるため、フック２０が魚の口奥まで飲み込まれて刺さりやすくなり、ファイト時のフックアウトを低く抑えることができる。次に、真円形のものは魚とのファイト時にそのリングの切れ目となるワイヤの入口箇所がルアーボディ１０のアイ１１あるいはフック２０に位置した場合、その負荷がワイヤ１本からなるその入口箇所に集中して強度が低下するため、破損したり伸びたりすることがある。
【０００６】
これに対し、楕円形または長円形のものは、図９に示すようにそのリングの切れ目となるワイヤの入口箇所がリングの側部（直線部分）のいずれかに位置しているため、常にワイヤ２本の部分からなる両端部分でルアーボディ１０のアイ１１およびフック２０の力をそれぞれ受けとめることになる。これにより、真円形のものに比べて約２倍の強度を発揮することができるため、伸びや破断を回避することが可能となる。
【先行技術文献】
【特許文献】
【０００７】
【特許文献１】特開平１０−２８４９２号公報
【特許文献２】意匠登録第１０８１０１３号公報
【考案の概要】
【考案が解決しようとする課題】
【０００８】
ところで、上述したような楕円形または長円形のスプリットリング３０は、そのリングの切れ目となるワイヤの入口箇所がリングの側部（直線部分）に位置しているため、水流による抵抗やルアーのアクションなどでフック２０が逆向きにセットされてしまった際に、図１１に示すようにフック２０上端の吊下部２２がそのリングの切れ目となる入口箇所（ワイヤ先端）に引っかかってしまい、正常な状態に戻り難いといった問題がある。
【０００９】
そこで、本考案はこれらの課題を解決するために案出されたものであり、その目的は水流による抵抗やルアーのアクションなどでフックが逆向きにセットされてしまった場合でも簡単に正常な状態に戻すことができる新規なスプリットリングおよびそれを備えた釣り用ルアーを提供することにある。
【課題を解決するための手段】
【００１０】
前記目的を達成するために本考案は、ルアーボディのアイにフックを着脱自在に取り付けるためのスプリットリングであって、金属ワイヤを環状に二重または三重巻きにして楕円形または長円形に加工すると共に、そのワイヤの両端が前記楕円形または長円形の端部に位置していることを特徴とするスプリットリングである。
【００１１】
このような構成によれば、従来の楕円形または長円形のスプリットリングのようにそのリングの切れ目となる入口箇所（ワイヤ先端）がリングの側部（直線部分）に位置していないため、水流による抵抗やルアーのアクションなどでフックが逆向きにセットされてしまった場合でもその部分に引っかかることがなくなり、竿を振るだけで簡単に正常な状態に戻すことができる。
【００１２】
第２の考案は、ルアーボディのアイにスプリットリングを介してフックを着脱自在に備えた釣り用ルアーであって、前記スプリットリングは、金属ワイヤを環状に二重または三重巻きにして楕円形または長円形に加工すると共に、そのワイヤの両端が前記楕円形または長円形の端部に位置していることを特徴とする釣り用ルアーである。このような構成によれば、第１の考案と同様に、水流による抵抗やルアーのアクションなどでフックが逆向きにセットされてしまった場合でもその部分に引っかかることがなくなり、竿を振るだけで簡単に正常な状態に戻すことができる。
【００１３】
第３の考案は第２の考案において、前記フックは、それぞれ上端に環状の吊下部を備えた第１のフック部材と第２のフック部材とを、拡縮自在な連結体で束ねたツインフックであることを特徴とする釣り用ルアーである。このような２つのフック部材からなるツインフックの場合も竿を振るだけで簡単に正常な状態に戻すことができると共に、スプリットリングとフックの吊下部との接触箇所が、１つの吊下部しか有しないシングルフックや、１つの吊下部を共有するツインフックあるいはトリプルフックに比べて２箇所になるため、スプリットリングにかかる力が分散される。これにより、スプリットリンクの伸びや破断を回避することができる。
【考案の効果】
【００１４】
本考案によれば、従来の楕円形または長円形のスプリットリングのようにそのリングの切れ目となる入口箇所（ワイヤ先端）がリングの側部（直線部分）に位置していないため、水流による抵抗やルアーのアクションなどでフックが逆向きにセットされてしまった場合でもその部分に引っかかることがなくなり、竿を振ったり水流による抵抗だけで簡単に正常な状態に戻すことができる。
【図面の簡単な説明】
【００１５】
【図１】本考案に係る釣り用ルアー１００の実施の一形態を示す側面図である。
【図２】図１中Ａ方向からみた正面図である。
【図３】（Ａ）は本考案に係るスプリットリング４０の実施の一形態を示す斜視図、（Ｂ）はその平面図である。
【図４】図２中Ａ部を示す部分拡大図である。
【図５】スプリットリング３０，４０によるフック保持力と引張り強さとの関係を示すグラフ図である。
【図６】従来のトリプルフック５０の一例を示す側面図である。
【図７】従来の釣り用ルアーの一例を示す側面図である。
【図８】図５中Ａ方向からみた正面図である。
【図９】（Ａ）は従来の長円形のスプリットリング３０の一例を示す斜視図、（Ｂ）はその平面図である。
【図１０】（Ａ）は従来の真円形のスプリットリング３０の一例を示す斜視図、（Ｂ）はその平面図である。
【図１１】水流による抵抗やルアーのアクションでフック２０が逆向きにセットされてしまった状態を示す説明図である。
【考案を実施するための形態】
【００１６】
以下、本考案の実施の形態を添付図面を参照しながら説明する。図１は本考案に係る釣り用ルアー１００の実施の一形態を示したものである。図示するようにこの釣り用ルアー１００は、魚形状をした疑似餌となるルアーボディ１０の腹部および尾びれ部付近に設けられた環状のフックアイ１１，１１に、それぞれスプリットリング４０，４０を介してフック２０，２０を着脱自在に取り付けた構造となっている。
【００１７】
このルアーボディ１０は、実際の魚や小動物、昆虫などの形態を模したプラスチックや金属、ゴムなどで形成されており、その口元付近のラインアイ１２に接続されたライン５０に引っ張られるようにして水中または水面付近に位置して周囲の魚を引きつけるように機能する。なお、このルアーボディ１０は、その尾びれ部分が中折れ式で左右に揺動するものもある。
【００１８】
フック２０は、図２に示すように第１フック部材２１と第２フック部材２２とを連結体２３で束ねて構成されている。第１フック部材２１は、炭素鋼などの高強度の針金からなっており、直線状の軸部２１ａの頂部に環状の吊下部３１ｂを有していると共に、その下端部にはＪ字形に湾曲した針先部２１ｃが一体的に形成されている。一方、第２フック部材２２も第１フック部材２１と同様に、直線状の軸部２２ａの上端にリング状の吊下げ部３２ｂを有していると共に、その下端部は第１フック部材２１とは反対側にＪ字形に湾曲した針先部２２ｃが一体的に形成されている。
【００１９】
この第１フック部材２１と第２フック部材２２とを束ねる連結体２３は、ほぼ直線状をした各軸部２１ａ、２２ａとほぼ同じ長さをしたチューブから構成されている。この連結体２３の材質としては、適度な強度を有しつつ変形可能で復元性のある材料、例えばシリコンゴムや電気絶縁材料などとして用いられているポリオレフィン、フッ素系ポリマー、熱可塑性エラストマーなどから構成されている。
【００２０】
このフック２０をルアーボディ１０のフックアイ１１に取り付けるためのスプリットリング４０は、図２および図３に示すようにリングを一方向（上下方向）に延ばした楕円形または長円形となっており、その一端（上端）がフックアイ１１に係合すると共に、他端（下端）がフック２０を構成する第１フック部材２１と第２フック部材２２の環状の吊下部２１ｂ、２２ｂとそれぞれ係合してフック２０を吊り下げようにしてチェーン状に連結するようになっている。
【００２１】
このスプリットリング４０も従来のものと同様に炭素鋼などの高強度のワイヤ（金属線）を小径約５ｍｍ、長径約１０ｍｍ程度の楕円形または長円形のリング状に二重巻きにし、そのワイヤ両端をその一端部付近で近接させてなるものである。すなわち、本考案に係るスプリットリング４０は、図７に示したような従来の楕円形または長円形のものと同じ大きさ、形状、材質からなっているが、そのリングの切れ目となるワイヤの入口箇所（ワイヤ両端）がリングの側部（直線部分）ではなく、図３に示すように敢えて楕円形または長円形の一端部に位置させたものである。
【００２２】
本考案のスプリットリング４０はこのような構造により、前述したように楕円形または長円形特有の効果が得られることはもちろん、従来のようにリングの切れ目となるワイヤの入口箇所（ワイヤ両端）がリングの側部（直線部分）に位置しないため、その部分に凹凸がなくなり、水流による抵抗やルアーのアクションなどでフック２０が逆向きにセットされてしまった場合でもその部分にフック２０の吊下部２１ｂ、２２ｂが引っかかることがなくなる。これによってフック２０が逆向きにセットされてしまった場合でも単に竿を振るだけで簡単に、あるいは水流の抵抗などによる小さな力でそのフック２０を図２に示すような正常な位置に戻すことができる。
【００２３】
一方、本考案のスプリットリング４０にあっては、図２に示すようにその一端がワイヤ１本の状態となり、その部分にフックアイ１１またはフック２０の吊下部２１ｂ、２２ｂが係合することになる。そのため、従来の楕円形または長円形のものに比べれば、破断強度がやや劣るが従来の真円形のものよりは遙かに優れた強度を発揮できる。
【００２４】
すなわち、このスプリットリング４０の引張り強度の確認試験を行った結果、図５に示すように従来の真円形のものはフック２０を強く引っ張るとある荷重点ａ（例えば２０ｋｇ）でそのワイヤの両端が左右に開き始め、その後一気に開いてフック保持力が急激に低下する。これに対し、本考案のスプリットリング４０はそれよりも大きい荷重点ｂ（例えば２５ｋｇ）でそのワイヤが引っ張り方向に伸び始めるものの、そのワイヤの両端が左右に開くことなく、長手方向にゆっくりと伸びていく。この結果、フック保持力もゆっくりと低下するために破断によるフックアウトを回避することができる。
【００２５】
また、このフック２０として図２に示すような第１フック部材２１と第２フック部材２２とからなるツインフック２０を用いれば、より確実にスプリットリング４０の伸びや破断を回避することができる。すなわち、このようなツインフック２０の場合は、スプリットリング４０とフック２０の吊下部２１ｂ、２２ｂとの接触箇所が、１つの吊下部しか有しないシングルフックや１つの吊下部を共有するツインフックあるいはトリプルフックに比べて２箇所になるため、そのスプリットリング４０にかかる力が分散される。これにより、応力集中がなくなってスプリットリング４０の伸びや破断をより確実に回避することができる。
【００２６】
また、リングの切れ目となるワイヤの入口箇所（ワイヤ両端）を楕円形または長円形の一端部に位置させたことにより、ツインフックの２つの吊下部２１ｂ、２２ｂにスプリットリング４０を装着し易い（吊下部２１ｂ、２２ｂを同時に装着し易い）といった効果もも発揮する。すなわち、通常の真円形の場合、カーブ（Ｒ）がキツくて一方の１つめの吊下部２１ｂにスプリットリング４０を通すと２つめの吊下部２２ｂにスプリットリング４０を通すときに、スプリットリング４０の切れ目の先端が外に出ようとして２本同時に通すのにコツが必要となる。
【００２７】
また、入り口が側面にある楕円形の場合も２つの吊下部２１ｂ、２２ｂにスプリットリングを入れる際に、最初は直線で入れやすが、その直線部分が本考案に係るスプリットリング４０の半分しか直線箇所が無くて、直ぐにＲの箇所に成ってしまうため、ツインフックの様に吊下部２１ｂ、２２ｂが２つあるツインフックでは直線部分が短くて同様にコツが必要となる。これに対し、本考案に係るスプリットリング４０ではフック入り口のＲも小さく、そしてその後の直線も長いため、ツインフックの様に２本同時に入れるには、もっとも適した形状となる。その結果、スムーズに引っかかりなくツインフックの２本の吊下部２１ｂ、２２ｂにスプリットリング４０を装着できるため、スプリットリング４０の破損や伸び、変形を確実に回避することができる。
【００２８】
なお、本実施の形態ではツインフック２０を用いた例で説明したが、１つの吊下部しか有しないシングルフックや１つの吊下部と軸に複数のフックを備えたツインフックや図６に示すようなトリプルフック６０の場合も同様な作用・効果が得られることはもちろんである。
【符号の説明】
【００２９】
１０…ルアーボディ
１１…フックアイ
１２…ラインアイ
２０…フック
２２，２１ｂ、２２ｂ…吊下部
２３…連結体
３０…従来のスプリットリング
４０…本発明に係るスプリットリング
６０…従来のトリプルフック
１００…釣り用ルアー
【図１】
0003227367.tif 000003
【図２】
0003227367.tif 000004
【図３】
0003227367.tif 000005
【図４】
0003227367.tif 000006
【図５】
0003227367.tif 000007
【図６】
0003227367.tif 000008
【図７】
0003227367.tif 000009
【図８】
0003227367.tif 000010
【図９】
0003227367.tif 000011
【図１０】
0003227367.tif 000012
【図１１】
0003227367.tif 000013